【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
眼の症状を治療するための埋込型マイクロ刺激装置であって、該装置は、
受動刺激回路およびフィードスルーを備える筐体と、
少なくとも１つの電極を備える可撓性延長部であって、該電極は、該フィードスルーを介して該受動刺激回路に接続可能である、可撓性延長部と
を備える、埋込型マイクロ刺激装置。
【請求項２】
前記可撓性延長部内に設置されるコイルをさらに備える、請求項１に記載の埋込型マイクロ刺激装置。
【請求項３】
前記少なくとも１つの電極は、第１の電極および第２の電極を備える、請求項１に記載の埋込型マイクロ刺激装置。
【請求項４】
前記第１および第２の電極は、前記可撓性延長部の第１の側面に設置される、請求項３に記載の埋込型マイクロ刺激装置。
【請求項５】
前記第１の電極は、前記可撓性延長部の第１の側面に設置され、前記第２の電極は、該可撓性延長部の第２の側面に設置される、請求項３に記載の埋込型マイクロ刺激装置。
【請求項６】
前記少なくとも１つの電極のうちの少なくとも１つは、テクスチャ加工またはパターン化される、請求項１に記載の埋込型マイクロ刺激装置。
【請求項７】
前記少なくとも１つの電極のうちの少なくとも１つは、陥凹している、請求項１に記載の埋込型マイクロ刺激装置。
【請求項８】
前記第１の電極および第２の電極は、前記可撓性延長部の第１の側面に設置される、請求項１に記載の埋込型マイクロ刺激装置。
【請求項９】
前記受動刺激回路は、ランピング制御ユニットを備える、請求項１に記載の埋込型マイクロ刺激装置。
【請求項１０】
前記マイクロ刺激装置は、１つ以上の被覆を備える、請求項１に記載の埋込型マイクロ刺激装置。
【請求項１１】
前記１つ以上の被覆のうちの少なくとも１つは、電荷注入容量を向上させるように構成されている、請求項１０に記載の埋込型マイクロ刺激装置。
【請求項１２】
前記１つ以上の被覆のうちの少なくとも１つは、絶縁被覆である、請求項１０に記載の埋込型マイクロ刺激装置。
【請求項１３】
前記マイクロ刺激装置は、１つ以上の固定要素を備える、請求項１に記載の埋込型マイクロ刺激装置。
【請求項１４】
１つ以上の症状を治療するための埋込型マイクロ刺激装置であって、該装置は、受動刺激回路を備え、該受動刺激回路は、充電ユニットとトランジスタとを備えるランピング制御ユニットを備える、埋込型マイクロ刺激装置。
【請求項１５】
前記受動刺激回路は、受信ユニットをさらに備え、該受信ユニットは、出力信号を受信するように構成されている、請求項１４に記載の埋込型マイクロ刺激装置。
【請求項１６】
前記受動刺激回路は、信号調節ユニットを備え、該信号調節ユニットは、前記受信ユニットによって受信される前記出力信号を調節するように構成されている、請求項１５に記載の埋込型マイクロ刺激装置。
【請求項１７】
前記信号調節ユニットは、整流ユニットを備える、請求項１６に記載の埋込型マイクロ刺激装置。
【請求項１８】
前記信号調節ユニットは、１つ以上の振幅制限ユニットを備える、請求項１７に記載の埋込型マイクロ刺激装置。
【請求項１９】
前記受動刺激回路は、１つ以上の電荷制限ユニットを備える、請求項１７に記載の埋込型マイクロ刺激装置。
【請求項２０】
前記受動刺激回路は、１つ以上の電圧制限ユニットを備える、請求項１７に記載の埋込型マイクロ刺激装置。
【請求項２１】
前記受動刺激回路は、１つ以上の電流制限ユニットを備える、請求項１７に記載の埋込型マイクロ刺激装置。
【請求項２２】
前記受動刺激回路は、前記信号調節ユニットから前記調節された出力信号を受信するように構成されている出力ユニットを備え、刺激信号を１つ以上の電極に供給するようにさらに構成されている、請求項１６に記載の埋込型マイクロ刺激装置。
【請求項２３】
前記ランピング制御ユニットは、出力ユニットによって受信される調節された出力信号の振幅を制御する、請求項１４に記載の埋込型マイクロ刺激装置。
【請求項２４】
前記トランジスタは、信号調節ユニットを前記出力ユニットに接続する、請求項２３に記載の埋込型マイクロ刺激装置。
【請求項２５】
症状を治療するためのシステムであって、該システムは、
埋込型マイクロ刺激装置と、
複数のコントローラを備えるコントローラセットであって、該複数のコントローラの各々は、出力信号を該埋込型マイクロ刺激装置に伝送するように構成されている、コントローラセットと
を備える、システム。
【請求項２６】
前記埋込型マイクロ刺激装置は、受動刺激回路を備える、請求項２５に記載のシステム。
【請求項２７】
前記複数のコントローラは、基板部材に解放可能に接続される、請求項２５に記載のシステム。
【請求項２８】
前記複数のコントローラの各々は、該コントローラが前記基板部材から除去されたときに、出力信号を生成するように構成されている、請求項２７に記載のシステム。
【請求項２９】
前記複数のコントローラは、複数のパッチを備え、該複数のパッチの各々は、接着剤層を備える、請求項２５に記載のシステム。
【手続補正２】
【補正対象書類名】明細書
【補正対象項目名】００２８
【補正方法】変更
【補正の内容】
【００２８】
いくつかの変形例では、ドライアイ症候群がある患者を治療するための方法は、設置デバイスを使用して、患者の眼の眼窩内にマイクロ刺激装置を挿入することから始めてもよい。電源を含み得るコントローラが、患者の皮膚の外部に、かつマイクロ刺激装置に近接して配置されてもよい。磁場が、コントローラによってマイクロ刺激装置に印加されてもよい。電流が、磁場からマイクロ刺激装置によって生成されてもよい。次いで、電流は、患者の眼において涙を産生するように患者に印加されてもよい。いくつかの変形例では、マイクロ刺激装置を使用するための方法は、マイクロ刺激装置を、涙腺の上、涙腺の中、または涙腺に隣接して設置された多重電極リード線に接続することから始めてもよい。１つ以上の電極が、患者の眼において涙の産生を活性化するように、多重電極リード線から選択されてもよい。
実施形態において、本発明は、例えば、下記の項目を提供する。
（項目１）
眼の症状を治療するための埋込型マイクロ刺激装置であって、該装置は、
筐体であって、該筐体は、受動刺激回路を備える、筐体と、
該筐体に接続される可撓性延長部であって、該可撓性延長部は、少なくとも１つの電極を備える、可撓性延長部と
を備える、埋込型マイクロ刺激装置。
（項目２）
前記可撓性延長部内に設置されるコイルをさらに備える、項目１に記載の埋込型マイクロ刺激装置。
（項目３）
前記少なくとも１つの電極は、第１の電極および第２の電極を備える、項目１に記載の埋込型マイクロ刺激装置。
（項目４）
前記第１および第２の電極は、前記可撓性延長部の第１の側面に設置される、項目３に記載の埋込型マイクロ刺激装置。
（項目５）
前記第１の電極は、前記可撓性延長部の第１の側面に設置され、前記第２の電極は、該可撓性延長部の第２の側面に設置される、項目３に記載の埋込型マイクロ刺激装置。
（項目６）
前記少なくとも１つの電極のうちの少なくとも１つは、テクスチャ加工またはパターン化される、項目１に記載の埋込型マイクロ刺激装置。
（項目７）
前記少なくとも１つの電極のうちの少なくとも１つは、陥凹している、項目１に記載の埋込型マイクロ刺激装置。
（項目８）
前記第１の電極および第２の電極は、前記可撓性延長部の第１の側面に設置される、項目１に記載の埋込型マイクロ刺激装置。
（項目９）
前記受動刺激回路は、ランピング制御ユニットを備える、項目１に記載の埋込型マイクロ刺激装置。
（項目１０）
前記マイクロ刺激装置は、１つ以上の被覆を備える、項目１に記載の埋込型マイクロ刺激装置。
（項目１１）
前記１つ以上の被覆のうちの少なくとも１つは、電荷注入容量を向上させるように構成されている、項目１０に記載の埋込型マイクロ刺激装置。
（項目１２）
前記１つ以上の被覆のうちの少なくとも１つは、絶縁被覆である、項目１０に記載の埋込型マイクロ刺激装置。
（項目１３）
前記マイクロ刺激装置は、１つ以上の固定要素を備える、項目１に記載の埋込型マイクロ刺激装置。
（項目１４）
１つ以上の症状を治療するための埋込型マイクロ刺激装置であって、該装置は、受動刺激回路を備え、該受動刺激回路は、ランピング制御ユニットを備える、埋込型マイクロ刺激装置。
（項目１５）
前記受動刺激回路は、受信ユニットをさらに備え、該受信ユニットは、出力信号を受信するように構成されている、項目１４に記載の埋込型マイクロ刺激装置。
（項目１６）
前記受動刺激回路は、信号調節ユニットを備え、該信号調節ユニットは、前記受信ユニットによって受信される前記出力信号を調節するように構成されている、項目１５に記載の埋込型マイクロ刺激装置。
（項目１７）
前記信号調節ユニットは、整流ユニットを備える、項目１６に記載の埋込型マイクロ刺激装置。
（項目１８）
前記信号調節ユニットは、１つ以上の振幅制限ユニットを備える、項目１７に記載の埋込型マイクロ刺激装置。
（項目１９）
前記受動刺激回路は、１つ以上の電荷制限ユニットを備える、項目１７に記載の埋込型マイクロ刺激装置。
（項目２０）
前記受動刺激回路は、１つ以上の電圧制限ユニットを備える、項目１７に記載の埋込型マイクロ刺激装置。
（項目２１）
前記受動刺激回路は、１つ以上の電流制限ユニットを備える、項目１７に記載の埋込型マイクロ刺激装置。
（項目２２）
前記受動刺激回路は、前記信号調節ユニットから前記調節された出力信号を受信するように構成されている出力ユニットを備え、刺激信号を１つ以上の電極に供給するようにさらに構成されている、項目１６に記載の埋込型マイクロ刺激装置。
（項目２３）
前記ランピング制御ユニットは、出力ユニットによって受信される調節された出力信号の振幅を制御する、項目１４に記載の埋込型マイクロ刺激装置。
（項目２４）
前記ランピング制御ユニットは、充電ユニットと、電界効果トランジスタとを備え、該電界効果トランジスタは、信号調節ユニットを前記出力ユニットに接続する、項目２３に記載の埋込型マイクロ刺激装置。
（項目２５）
症状を治療するためのシステムであって、該システムは、
埋込型マイクロ刺激装置と、
複数のコントローラを備えるコントローラセットであって、該複数のコントローラの各々は、出力信号を該埋込型マイクロ刺激装置に伝送するように構成されている、コントローラセットと
を備える、システム。
（項目２６）
前記埋込型マイクロ刺激装置は、受動刺激回路を備える、項目２５に記載のシステム。
（項目２７）
前記複数のコントローラは、基板部材に解放可能に接続される、項目２５に記載のシステム。
（項目２８）
前記複数のコントローラの各々は、該コントローラが前記基板部材から除去されたときに、出力信号を生成するように構成されている、項目２７に記載のシステム。
（項目２９）
前記複数のコントローラは、複数のパッチを備え、該複数のパッチの各々は、接着剤層を備える、項目２５に記載のシステム。
（項目３０）
患者の涙腺に隣接してマイクロ刺激装置を埋め込む方法であって、該方法は、
該患者の眼瞼を持ち上げることと、
該眼瞼の下の結膜を通る挿入経路を形成することと、
該マイクロ刺激装置を該挿入経路の中へ前進させることと
を含む、方法。
（項目３１）
前記挿入経路を形成することは、切開ツールを用いて前記結膜を穿刺することを含む、項目３０に記載の方法。
（項目３２）
前記マイクロ刺激装置を前進させることは、該マイクロ刺激装置が搭載された挿入デバイスを前進させることを含む、項目３１に記載の方法。
（項目３３）
前記挿入デバイスから前記マイクロ刺激装置を解放することをさらに含む、項目３２に記載の方法。
（項目３４）
前記挿入デバイスと前記切開ツールとは、別個のデバイスである、項目３２に記載の方法。
（項目３５）
挿入経路を形成することは、骨膜と前記涙腺との間に挿入経路を形成することを含む、項目３０に記載の方法。
（項目３６）
挿入経路を形成することは、骨膜と眼窩骨との間に挿入経路を形成することを含む、項目３０に記載の方法。
（項目３７）
ドライアイを治療するための方法であって、該方法は、
涙腺に隣接してマイクロ刺激装置を埋め込むことであって、該マイクロ刺激装置は、受動刺激回路を備える、ことと、
ランピングされた刺激を該涙腺に印加することと
を含む、方法。
（項目３８）
前記受動刺激回路は、ランピング制御ユニットを備える、項目３７に記載の方法。
（項目３９）
前記マイクロ刺激装置は、涙腺窩に埋め込まれる、項目３７に記載の方法。
（項目４０）
前記マイクロ刺激装置に近接してコントローラを設置することをさらに含む、項目３７に記載の方法。
（項目４１）
前記コントローラを用いて磁場を生成することをさらに含む、項目４０に記載の方法。
（項目４２）
前記磁場は、間欠的に連発して生成される、項目４１に記載の方法。
（項目４３）
受動刺激回路を備える、１つ以上の症状を治療するための埋込型マイクロ刺激装置。
（項目４４）
ドライアイを治療するための方法であって、該方法は、
涙腺に隣接してマイクロ刺激装置を埋め込むことであって、該マイクロ刺激装置は、受動刺激回路を備える、ことと、
刺激信号を該涙腺に印加することと
を含む、方法。